(57)【特許請求の範囲】
【請求項１】
フレキシブルスクリーンを備える電子装置であって、正面と、前記正面に対向する裏面と、前記正面と前記裏面を接続する第一側面とを有し、前記電子装置は、
前記第一側面に回転可能に設けられ、且つ、第一位置及び第二位置のそれぞれに回転でき第一回転軸と、
前記第一回転軸の周りを折り曲げられ、且つ前記第一回転軸の回転につれて移動できるフレキシブルスクリーンと、
前記第一回転軸に設けられる機能素子と、を備え、
前記第一位置に位置する場合、前記機能素子が前記第一側面に臨み、前記第二位置に位置する場合、前記機能素子が前記正面に臨むことを特徴とする電子装置。
【請求項２】
前記フレキシブルスクリーンは、第一表示領域と、前記第一表示領域の側方に位置する非表示領域とを備え、前記機能素子は、前記非表示領域に露出することを特徴とする、請求項１に記載の電子装置。
【請求項３】
前記第一位置に位置する場合、前記第一表示領域が前記正面に臨み、前記非表示領域が前記第一側面に臨み、
前記第二位置に位置する場合、前記第一表示領域の一部が前記正面から離れ、前記非表示領域の少なくとも一部が前記正面に移動することを特徴とする、請求項２に記載の電子装置。
【請求項４】
前記第一回転軸に対向して設けられる第二回転軸をさらに備え、
前記フレキシブルスクリーンは、前記第一回転軸から前記第二回転軸に延びた後、前記第二回転軸の周りを折り曲げられ、且つ、前記第二回転軸の回転につれて移動できることを特徴とする、請求項１に記載の電子装置。
【請求項５】
前記フレキシブルスクリーンは、前記第一回転軸及び前記第二回転軸の間に延びる第二表示領域をさらに備え、前記第一位置に位置する場合、前記第二表示領域が前記裏面に臨むことを特徴とする、請求項４に記載の電子装置。
【請求項６】
前記フレキシブルスクリーンは、第一表示領域と、前記第一表示領域に接続される第三表示領域をさらに備え、前記第一位置に位置する場合、前記第二回転軸の一部が前記第三表示領域によって覆われることを特徴とする、請求項４に記載の電子装置。
【請求項７】
前記フレキシブルスクリーンは、第一表示領域と、前記第一表示領域に接続される第四表示領域をさらに備え、前記第一位置に位置する場合、前記第一回転軸の一部が前記第四表示領域によって覆われることを特徴とする、請求項１または６に記載の電子装置。
【請求項８】
前記第一回転軸に対向して設けられる第二回転軸をさらに備え、
前記フレキシブルスクリーンは、前記第二回転軸の周りを折り曲げられ、且つ、前記第一回転軸及び前記第二回転軸の周りを連続して延びることを特徴とする、請求項１に記載の電子装置。
【請求項９】
前記フレキシブルスクリーンは、前記第一回転軸及び前記第二回転軸の周りを延びる方向に画像を表示できることを特徴とする、請求項８に記載の電子装置。
【請求項１０】
前記フレキシブルスクリーンの前端と後端は、前記機能素子の対向する両側に位置し、または、前記フレキシブルスクリーンにおける前記機能素子に対応する箇所には、スルーホールが設けられることを特徴とする、請求項９に記載の電子装置。
【請求項１１】
前記第二回転軸に設けられる第二機能素子をさらに備え、
前記第二位置に位置する場合、前記機能素子及び前記第二機能素子が、それぞれ、前記正面及び裏面に臨むことを特徴とする、請求項５または９に記載の電子装置。
【請求項１２】
前記第一側面に対向して設けられる第二側面をさらに備え、
前記電子装置は、前記第二側面の対向する両側に回転可能に設けられる第三回転軸及び第四回転軸をさらに備え、前記フレキシブルスクリーンが前記第三回転軸及び前記第四回転軸の周りを折り曲げられることを特徴とする、請求項１に記載の電子装置。
【請求項１３】
前記第三回転軸及び前記第四回転軸の間に固定される入力／出力モジュールをさらに備え、
前記入力／出力モジュールは、前記第二側面に露出するインターフェースを備えることを特徴とする、請求項１２に記載の電子装置。
【請求項１４】
前記フレキシブルスクリーンは、前記第三回転軸及び前記第四回転軸の間に連続して延び、前記入力／出力モジュールの当接によって、前記第三回転軸及び前記第四回転軸の間に前記電子装置の内部に凹むことを特徴とする、請求項１３に記載の電子装置。
【請求項１５】
前記入力／出力モジュールは、前記インターフェースが設けられる本体と、第五回転軸と、両者の間に位置する弾性体とを備え、
前記第五回転軸は、前記フレキシブルスクリーンにおける前記電子装置の内部に凹み且つ前記第二側面から離れた側に当接し、前記弾性体は、圧縮される状態にあることを特徴とする、請求項１４に記載の電子装置。
【請求項１６】
前記フレキシブルスクリーンは、前記第三回転軸及び前記第四回転軸にそれぞれ巻き取られる第一末端及び第二末端を備え、前記フレキシブルスクリーンにおける前記第一回転軸の周りを折り曲げられる部分が前記第一末端及び前記第二末端の間に位置することを特徴とする、請求項１２に記載の電子装置。
【請求項１７】
前記第三回転軸及び前記第四回転軸の間に固定される入力／出力モジュールをさらに備え、
前記入力／出力モジュールは、前記第二側面に露出するインターフェースを備えることを特徴とする、請求項１６に記載の電子装置。
【請求項１８】
前記フレキシブルスクリーンを覆う透明保護層をさらに備えることを特徴とする、請求項１に記載の電子装置。
【請求項１９】
前記正面を覆うガラスをさらに備えることを特徴とする、請求項１に記載の電子装置。
【請求項２０】
前記正面が平面であり、前記第一側面が湾曲面であることを特徴とする、請求項１に記載の電子装置。
【請求項２１】
前記第二回転軸の軸方向端面に設けられる送話器をさらに備えることを特徴とする、請求項８に記載の電子装置。
【発明の詳細な説明】
【技術分野】
【０００１】
本発明は、フレキシブルスクリーンを備える電子装置に関し、特に、フレキシブルスクリーンを備え且つスクリーンの割合が高い電子装置に関する。
【背景技術】
【０００２】
従来の携帯電話やタブレットコンピュータなどの携帯式の電子装置は、スクリーンの割合（フロントパネルに占めるスクリーンの割合）がますます高い傾向がある。例えば、携帯電話を例にとると、携帯電話のフロントパネルの左右の両側のボーダーの幅を低減するためのＧＯＡ技術が開発された。フロントパネルの上下の両側については、現在の主流機能、例えば、セルフ撮影、通話時のスクリーンの自動オフ及び携帯電話のスクリーン輝度の自動調整などを実現するために、対応するフロントカメラ、距離センサ、輝度センサ及び受話器などの機能素子はフロントパネルに設けられる必要があるため、いきおいフロントパネルの一定の位置を占める。近年、現れたフレキシブルスクリーンは、スクリーンの割合が一層向上する可能性がある。
【発明の概要】
【０００３】
本発明の実施形態は、レキシブルスクリーンを備え且つスクリーンの割合が高い電子装置を提供する。
【０００４】
フレキシブルスクリーンを備える電子装置は、正面と、正面に対向する裏面と、正面と裏面を接続する第一側面とを有する。前記電子装置は、第一回転軸と、フレキシブルスクリーンと、機能素子とを備える。前記第一回転軸は、前記第一側面に回転可能に設けられ、且つ、第一位置及び第二位置のそれぞれに回転できる。前記フレキシブルスクリーンは、前記第一回転軸の周りを折り曲げられ、且つ前記第一回転軸の回転につれて移動できる。前記機能素子は、前記第一回転軸に設けられる。前記第一位置に位置する場合、前記機能素子が前記第一側面に臨み、前記第二位置に位置する場合、前記機能素子が前記正面に臨む。
【０００５】
本発明による上記電子装置によれば、送話器などの機能素子を使用し通話しようとする場合、第一回転軸の回転につれて、機能素子を正面に臨む第二位置に回転させることができ、このとき、従来のように当該電子装置を使用してもよい。機能素子を使用する必要がなく、例えば、ウェブページを閲覧する場合、第一回転軸の回転につれて、機能素子を側面に臨む第一位置に回転させることができ、このとき、正面における従来のように機能素子が設けられる箇所がフレキシブルスクリーンによって占められるため、電子装置のスクリーンの割合が向上する。
【０００６】
以下の添付図面は、実施形態と一緒に本発明を詳細に説明するためのものである。添付図面に示される各素子は、実際のサイズ及び割合を表するものではないと理解される。説明を明瞭にするために示される概略図は、本発明を制限するものであると理解されてはならない。
【図面の簡単な説明】
【０００７】
【図１】図１は、本発明の第一実施形態によるフレキシブルスクリーンを備える電子装置の概略図である。
【図２】図２は、図１の電子装置の部分分解概略図である。
【図３】図３は、図１のＩＩＩ−ＩＩＩ線に沿った電子装置の二つの回転軸及びフレキシブルスクリーンが第一位置にあるときの概略断面図である。
【図４】図４は、二つの回転軸及びフレキシブルスクリーンが第二位置にあるという点で図３と相違する。
【図５】図５は、図３の電子装置の変形例を示す。
【図６】図６は、本発明の第二実施形態によるフレキシブルスクリーンを備える電子装置の概略図である。
【図７】図７は、図６の線ＶＩＩ−ＶＩＩに沿った電子装置の概略断面図である。
【図８】図８は、図７のＶＩＩＩ部分の拡大概略図である。
【図９】図９は、本発明の第三実施形態によるフレキシブルスクリーンを備える電子装置における透明保護層を取り除いた部分の概略断面図である。
【発明を実施するための形態】
【０００８】
本発明の目的、技術手段及び利点を一層明瞭にするために、以下に、若干の実施形態及び図面を参照しながら、本発明を一層詳しく説明する。ここで記載される実施形態は、本発明を解釈するためのものだけであるが、本発明を制限するものではないと理解される。
【０００９】
以下の実施形態において、本発明による電子装置は、携帯電話を例にとって説明される。図１及び図２は、本発明の第一実施形態による電子装置１０の組み立てられた後及び組み立てられる前の部分分解概略構造図である。図１及び図２においては、電子装置１０は、上方を向く表面を正面とし、下方を向く表面を裏面とし、正面と裏面を接続する表面を側面とする。電子装置１０は、フレーム１２と、第一回転軸３２と、第二回転軸３４と、少なくとも１つの機能素子４０と、フレキシブルスクリーン５０と、透明保護層６０とを備える。
【００１０】
フレーム２０は、略長方形を呈し、長辺に位置し且つ対向して設けられる二つの長手サイドフレーム２２と当該二つの長手サイドフレーム２２を接続する接続部２４とを備える。長手サイドフレーム２２は、組み立てられた後の電子装置１０に見えるが、接続部２４は見えない。本実施形態において、接続部２４は、互に平行な細長い状を呈するが、しかしながら、他の実施形態において、接続部２４も、電子装置の回路基板及び電池（図示せず）などの素子を載置または装着するように二つの長手サイドフレーム２２を接続する板状のものであると理解される。一つの長手サイドフレーム２２は、接続部２４と着脱可能に接続される。二つの長手サイドフレーム２２の対向する二つの末端には、第一回転軸３２及び第二回転軸３４を装着するための装着部２６が設けられる。装着部２６は、ベアリングなどの回転に有利な装置である。
【００１１】
第一回転軸３２は、略円柱状を呈し、軸方向の表面に、機能素子４０を装着するための少なくとも一つの開口部３５が設けられる。本実施形態において、第一回転軸３２には、３つの開口部が設けられ、機能素子４０は、受話器４２と、受話器４２の両側に位置する撮像装置４４及び輝度センサ４６とを備える。言うまでもなく、他の実施形態において、距離センサ等の特定機能を実現する他の素子を備えてもよく、この場合、開口部３５の数が、対応して設定される。第二回転軸３４は、フレーム２０における第一回転軸３４に対向する他側に回転可能に装着される。
【００１２】
フレキシブルスクリーン５０は、前端と後端が接続され、第一回転軸３２及び第二回転軸３４は、フレキシブルスクリーン５０が二つの回転軸に折り曲げられ且つ回転軸の回転につれて移動するように、フレキシブルスクリーン５０内に密接に支持する。このように、搬送ベルトのような構造が形成される。フレキシブルスクリーン５０における機能素子４０に臨む箇所には、機能素子４０がフレキシブルスクリーン５０に露出するようにスルーホール５２が設けられる。透明保護層６０は、透明であり、湾曲でき、且つ一定の剛性を有する材料、例えば、ポリエチレンテレフタレート（Polyethylene terephthalate，ＰＥＴ）で製造され、フレキシブルスクリーン５０に貼り付けられ、保護の効果を奏する。
【００１３】
組み立ての過程において、まず、接続部２４が一つの長手サイドフレーム２２から取り外され、回路基板及び電池などが接続部２４に装着される。受話器４２、撮像装置４４及び輝度センサ４６などの機能素子が第一回転軸３２に装着される。そして、広げられた長方形の透明保護層６０の前端と後端が平滑に接続され、同様な広げられた長方形のフレキシブルスクリーン５０が接着などの手段で透明保護層６０に固定される。このように、両者は、共に、前端と後端が接続された閉鎖の帯状に形成され、この場合、第一回転軸３２及び第二回転軸３４を包み込む。二つの回転軸は、フレキシブルスクリーン５０と透明保護層６０を張り、且つ、第一回転軸の開口部３５及びフレキシブルスクリーンのスルーホール５２が位置合わせされる。
【００１４】
そして、第一回転軸３２及び第二回転軸３４は、一端がフレーム２０の二つの装着部２６に装着され、この場合、透明保護層６０及びフレキシブルスクリーン５０が当該二つの回転軸の周りを回転するとき、当該二つの回転軸及びフレキシブルスクリーン５０が摩擦力または対応する両者の間に設けられる凹凸構造（図示せず）によって同期して回転できるように、当該二つの回転軸がフレキシブルスクリーン５０と密接する。上記の取り外された長手サイドフレーム２２が接続部２４に装着され、そして、組み立てが完了する。組み立てられた電子装置１０は、平面である正面１５（図１における上方を向く面）と、同様に平面である裏面１６と、当該正面と当該裏面を接続し且つ対向して設けられる略半円筒状の第一側面１７（図１における右下を向く面）及び第二側面１８とを有する。
【００１５】
図３及び図４を参照すると、動作の過程において、ユーザが機能素子４０を使用する必要がなく、例えば、文字や画像を見る場合、第一回転軸３２は、図３に示すような第一位置に回転し、即ち、機能素子４０が第一側面１７を向き、好ましくは、正面１５とほぼ平行し、このとき、正面１５全体には、機能素子４０が占める部分がないため、正面におけるスクリーンの割合が向上する。また、ユーザが機能素子４０を使用しようとする場合、例えば、通話の場合、第一回転軸３２は、電動や手動の手段で、図４に示すような第二位置に回転し、即ち、ユーザが機能素子４０を便利に使用するように機能素子４０が正面１５を向く。ユーザが機能素子を使用する必要がない場合、第一回転軸３２は、手動の手段で、第一位置に回転し、あるいは、電動の手段で、第一位置に自動的に戻る。
【００１６】
上記の実施形態において、フレキシブルスクリーン５０は、全体が必要な画像を表示できるように設定されることができる。即ち、第一位置に位置するとき、フレキシブルスクリーン５０は、正面１５、裏面１６、第二側面１８及び第一側面１７を向く表示のための第一表示領域と、第二表示領域と、第三表示領域と、第四表示領域とを備える。理解できるように、第一位置に位置するとき、フレキシブルスクリーン５０は、第一側面１７を向く領域が非表示領域になり、且つ他の面を向く領域が表示領域になるように設定されてもよく、または、第一位置に位置するとき、フレキシブルスクリーン５０は、正面１５及び裏面１６を向く領域が表示領域になり、且つ他の面を向く領域が非表示領域になるように設定されてもよく、または、第一位置に位置するとき、フレキシブルスクリーン５０は、正面１５だけを向く領域が表示領域になるように設定されてもよい。なお、フレキシブルスクリーン５０における非表示領域である部分には、駆動アレイ及び表示画素が設けられてもよいと注意すべきである。
【００１７】
また、第一位置に位置するとき、フレキシブルスクリーン５０における裏面１６を向く領域（つまり、上記第二表示領域）が非表示領域である場合、上記第二表示領域が直接に取り除かれてもよく、即ち、図２に示すように、フレキシブルスクリーン５０が裏面を向く部分を有しない。なお、上記のように、フレキシブルスクリーン５０は、前端と後端が接続された帯状に設定されるが、前端と後端が接続されなくてもよいと注意すべきである。具体的には、フレキシブルスクリーン５０は、前端と後端が接着などの手段で機能素子４０の両側に固定されてもよく、図３を参考すると、この場合の構造がわかる。このような構造は、製造に便利である。透明保護層６０は、フレキシブルスクリーン５０のように連続しなくてもよく、上記の実施形態ように、前端と後端が接続されてもよい。
【００１８】
好ましくは、図１及び図２を参照すると、電子装置１０の送話器４８は、第二回転軸３４の二つの軸方向端面に設けられる。このように、第二回転軸３４がどの位置にどのように回転しても、または、ユーザがどの手でどのように電子装置１０を掴んで通話しても、音声は、いずれかの送話器４８で電子装置１０によってよくピックアップされる。
【００１９】
図６ないし図８は、第二実施形態による電子装置１２の概略図である。電子装置１２は、第二回転軸３４の代わりに第三回転軸３６及び第四回転軸３８が設けられ、第二側面１８に位置する入力／出力モジュール（Ｉ／Ｏモジュール）７０が更に設けられるという点で、第一実施形態の電子装置１０と相違する。具体的には、第三回転軸３６及び第四回転軸３８は、それぞれ、第二側面１８における正面及び裏面のそれぞれに隣接する側に位置する。フレキシブルスクリーン５０’及びフレキシブル保護層６０’の長さが第一実施形態よりも長く、この場合、第一実施形態と相違するように、フレーム２０が一体式構造であってもよく、フレキシブルスクリーン５０’及びフレキシブル保護層６０’が第一回転軸３２、第三回転軸３６及び第四回転軸３８を便利に包み込む。フレキシブルスクリーン５０’は、同様に、フレキシブル回路基板５４を介して回路基板２７に接続され、回路基板２７は、電池２８に接続される。Ｉ／Ｏモジュール７０は、第三回転軸３６及び第四回転軸３８の間に挿設され、フレキシブルスクリーン５０が電子装置１０の内部に凹むようにフレキシブル保護層６０’に当接し、正面及び裏面のそれぞれに臨む表面が平面である。Ｉ／Ｏモジュール７０は、第二側面１８に露出するインターフェース７２を有し、言うまでもなく、スピーカー７４を有してもよい。Ｉ／Ｏモジュール７０は、長手サイドフレームに設けられる固定構造（図示せず）、例えば、ねじやファスナーなどを介して、フレーム２０に固定され、且つ、長手サイドフレームに設けられるワイヤー（図示せず）を介して回路基板２７に接続される。
【００２０】
好ましくは、図８を参照すると、Ｉ／Ｏモジュール７０は、インターフェース７２が設けられる本体７１と、本体７１内に部分的に収納されるスライドロッド７３と、本体７１及びスライドロッド７３に当接するスプリング７５と、スライドロッド７３に回転可能に固定される第五回転軸７７とを備える。Ｉ／Ｏモジュール７０がフレーム２０に挿入され固定されるとき、第五回転軸７７は、フレキシブル保護層６０’に当接する。このような設置手段は、Ｉ／Ｏモジュール７０を製造し加工する精度を低減でき、フレキシブルスクリーン５０’及びフレキシブル保護層６０’は、一定変形してもよい。
【００２１】
図９を参照すると、本発明の第三実施形態による電子装置１４は、フレキシブルスクリーン５０’’及びＩ／Ｏモジュール７０’’という点で、第二実施形態の電子装置１２と相違する。具体的には、フレキシブルスクリーン５０’’は、閉鎖の帯状ではなく、二つの末端がそれぞれ第三回転軸３６及び第四回転軸３８に巻き取られる。この場合、Ｉ／Ｏモジュール７０’’は、上記のスライドロッド７３、スプリング７５及び第五回転軸７７を設ける必要がない。組み立ての過程において、まず、フレキシブルスクリーン５０’’の二つの末端がそれぞれ第三回転軸３６及び第四回転軸３８に巻き取られ、そして、フレーム２０に装着される。このように、フレキシブルスクリーンが閉鎖の帯状に形成されるプロセスは取り除かれ、電子装置１４全体の組み立ては便利になる。
【００２２】
上記の各実施形態からわかるように、電子装置は、第一回転軸３２が第一側面１７に回転可能に設けられ、且つ、第一位置及び第二位置のそれぞれに回転でき、フレキシブルスクリーン５０、５０’、５０’’が第一回転軸３２の周りを折り曲げられ、且つ第一回転軸３２の回転につれて移動でき、機能素子４０が第一回転軸３２に設けられ、第一位置に位置する場合、機能素子４０が第一側面１７に臨み、第二位置に位置する場合、機能素子４０が正面１５に臨むことにより、スクリーンの割合が向上するという目的は達成される。
【００２３】
上記の各実施形態において、フレーム２０は、正面１５に設けられるガラスなどの保護層を有してもよく、この場合、透明保護層６０が設けられなくてもよい。また、フレキシブルスクリーンにおける機能素子を覆う部分が透明である場合、スルーホール５２が設けられなくてもよい。なお、フレキシブルスクリーンにおける第一側面に臨む部分が表示する必要がない場合、フレキシブルスクリーンは機能素子を覆わなくてもよく、図５に示すように、この場合、機能素子４０は同様にフレキシブルスクリーンに露出すると注意すべきである。また、各実施形態の電子装置のフレキシブルスクリーンが正面及び裏面のそれぞれに臨む表示領域を有する場合、図２の第二回転軸３４での破線が示すように、第二回転軸３４は、第一回転軸３２と同様なように、機能素子４０が設けてもよく、且つ、第二位置に位置する場合、二つの回転軸における機能素子は、正面及び裏面のそれぞれに臨む。このように、ユーザが電子装置を掴むとき、どんなにどの面が上方を向いても、電話を受けることは便利である。
【００２４】
以上は、本発明の好適な実施形態に過ぎなく、本発明を制限するためのものではない。本発明の思想及び要旨を逸脱しない範疇で行われる変更、均等置換及び改良などは、いずれも本発明の範囲に属するものである。
【図１】
0006403884.tif 000002
【図２】
0006403884.tif 000003
【図３】
0006403884.tif 000004
【図４】
0006403884.tif 000005
【図５】
0006403884.tif 000006
【図６】
0006403884.tif 000007
【図７】
0006403884.tif 000008
【図８】
0006403884.tif 000009
【図９】
0006403884.tif 000010